(57)【要約】【課題】特別な工事を必要とせず安価に設置できる簡易なシステムで、警備対象や監視対象の規模が小さくても容易に導入することができる携帯電話を用いた見張り装置を提供する。【解決手段】カメラレンズ１８を備えたカメラ付き携帯電話機１５が離脱自在に装着され、カメラ付き携帯電話機１５の装着時、カメラレンズ１８をカメラ撮影の対象となる見張り場所に向けて配置する装置本体１４と、装置本体１４に設けられ、装置本体１４に装着されたカメラ付き携帯電話機１５による見張り場所のカメラ撮影画像を、撮影画像を受信し画面表示することが可能な特定の送信先へ送信するために、カメラ付き携帯電話機１５の操作ボタン１７を押圧操作するボタン操作部１２と、ボタン操作部１２を作動させる作動信号を出力する作動信号出力手段とを有している。【選択図】図１
2005039773.tif 000002
【特許請求の範囲】
【請求項１】
カメラレンズを備えたカメラ付き携帯電話機が離脱自在に装着される電話機載置台と、
前記電話機載置台が設置され、前記カメラレンズをカメラ撮影の対象となる見張り場所に向けて配置する装置本体と、
前記装置本体に設置され、前記見張り場所の変化を感知する感応センサからの感知信号の入力により、前記カメラ付き携帯電話機による、前記見張り場所のカメラ撮影、カメラ撮影画像を受信し画像表示することが可能な特定の送信先電話番号の指定、指定された電話番号への発呼を行うために、前記カメラ付き携帯電話機の操作ボタンを操作するボタン操作部と
を有する携帯電話機を用いた見張り装置。
【請求項２】
前記ボタン操作部は、
前記特定の送信先電話番号の指定、指定された電話番号への発呼、前記見張り場所のカメラ撮影を記載順に行うため、一連のボタン操作を行う請求項１に記載の携帯電話を用いた見張り装置。
【請求項３】
前記ボタン操作部は、
前記特定の送信先電話番号の指定を行う特定操作ボタン、指定された電話番号への発呼を行う特定操作ボタン、前記見張り場所のカメラ撮影を行う特定操作ボタンをそれぞれ押し下げ操作する３個の操作板と、
前記特定操作ボタンの押し下げ操作のための下方移動を行うように、前記各操作板をそれぞれ駆動する３個のソレノイドと
を有する請求項２に記載の携帯電話を用いた見張り装置。
【請求項４】
カメラレンズを備えたカメラ付き携帯電話機が離脱自在に装着され、前記カメラ付き携帯電話機の装着時、前記カメラレンズをカメラ撮影の対象となる見張り場所に向けて配置する装置本体と、
前記装置本体に設けられ、前記装置本体に装着された前記カメラ付き携帯電話機による前記見張り場所のカメラ撮影画像を、撮影画像を受信し画面表示することが可能な特定の送信先へ送信するために、前記カメラ付き携帯電話機の操作ボタンを押圧操作するボタン操作部と、
前記ボタン操作部を作動させる作動信号を出力する作動信号出力手段と
を有する携帯電話を用いた見張り装置。
【請求項５】
前記装置本体は、
前記カメラレンズが配置された表示部を立てて前記操作ボタンが配置された操作部を横置きにした状態で、前記カメラ付き携帯電話機が装着されたホルダを、前記装置本体の上面を覆うカバー部内に位置させた収納状態から前記カメラ付き携帯電話機を前記カバー部から露出させた前記ホルダに対する着脱可能状態に横移動させるホルダ取付部材を有し、
前記ボタン操作部は、
前記作動信号の入力により作動するモータの駆動力が伝達されて下方移動し、前記収納状態にある前記カメラ付き携帯電話機の特定の前記操作ボタンを押圧操作すると共に、押圧操作後上方移動して前記操作ボタンから離れるアームを有する請求項４に記載の携帯電話を用いた見張り装置。
【請求項６】
前記アームは２個設置され、それぞれ個別に時間をずらして２個の前記操作ボタンを押圧操作する請求項５に記載の携帯電話を用いた見張り装置。
【請求項７】
前記各アームは、操作ボタン配列縦方向に沿って移動及び固定可能に設置され、
前記各アームの上部開放端には、操作ボタン配列横方向に沿って移動及び固定可能に、且つ、前記操作ボタンとの距離を調節可能に、前記操作ボタンを押圧操作する押圧ネジが装着されている請求項６に記載の携帯電話を用いた見張り装置。
【請求項８】
前記ボタン操作部は、
前記アーム及び前記モータを一体的に組み合わせてモジュール化され、且つ、前記着脱可能状態では前記アームが前記操作ボタンから離間した傾斜状態に保持することができるように回動可能に軸支されている請求項５または６に記載の携帯電話を用いた見張り装置。
【請求項９】
前記作動信号出力手段は、
前記見張り場所における人や動物の動き或いは煙の発生や設定温度以上の変化、また押圧力或いは音声の入力を感知して前記作動信号を出力する感応センサである請求項４から８のいずれかに記載の携帯電話を用いた見張り装置。
【発明の詳細な説明】
【技術分野】
【０００１】
この発明は、携帯電話を用いた見張り装置に関し、特に、無人の場所に設置したカメラ付き携帯電話機のカメラで撮影した画像を、その場所から離れた所のカメラ付き携帯電話機に自動的に送信して表示させる携帯電話を用いた見張り装置に関する。
【背景技術】
【０００２】
従来、建物内や敷地内への侵入者を検出して知らせる警報システムが知られている。このような警報システムは、通常、警備会社との契約に基づいて設置され、警備会社において管理されている。また、建物の出入り口等にビデオカメラを設置し、建物内の管理室等に設置したディスプレイに映し出されたビデオカメラの撮影画像を見て、出入り口等の監視を行う監視システムもある。同様に、商店等の店内をビデオカメラで常時撮影して撮影データをテープに記録し、必要に応じ撮影画像をディスプレイで再生し確認する監視記録システムもある。
【発明の開示】
【発明が解決しようとする課題】
【０００３】
しかしながら、従来の警備会社において管理される警報システムや、ビデオカメラの撮影画像を見て監視を行う監視システムや、撮影画像をディスプレイで再生し確認する監視記録システムの場合、システムが大がかりとなって各種装置を設置するための各種工事を必要とし、その上、システムを運用するためにも多くの経費を必要とする。従って、警備対象や監視対象の規模が小さい場合、これらのシステムを導入するのは容易でなく、特に、個人の家等を対象とするのには適さなかった。
【０００４】
この発明の目的は、特別な工事を必要とせず安価に設置できる簡易なシステムで、警備対象や監視対象の規模が小さくても容易に導入することができる携帯電話を用いた見張り装置を提供することである。
【課題を解決するための手段】
【０００５】
この発明に係る携帯電話を用いた見張り装置は、カメラレンズを備えたカメラ付き携帯電話機が離脱自在に装着され、カメラ付き携帯電話機の装着時、カメラレンズをカメラ撮影の対象となる見張り場所に向けて配置する装置本体と、装置本体に設けられ、装置本体に装着されたカメラ付き携帯電話機による見張り場所のカメラ撮影画像を、撮影画像を受信し画面表示することが可能な特定の送信先へ送信するために、カメラ付き携帯電話機の操作ボタンを押圧操作するボタン操作部と、ボタン操作部を作動させる作動信号を出力する作動信号出力手段とを有している。
【０００６】
上記構成を有することにより、装置本体を、離脱自在に装着されたカメラ付き携帯電話機のカメラレンズがカメラ撮影の対象となる見張り場所に向くように配置して、作動信号出力手段からボタン操作部を作動させる作動信号が出力されると、装置本体に設けられたボタン操作部は、装置本体に装着されたカメラ付き携帯電話機による見張り場所のカメラ撮影画像を、撮影画像を受信し画面表示することが可能な特定の送信先へ送信するために、カメラ付き携帯電話機の操作ボタンを押圧操作する。
【発明の効果】
【０００７】
この発明によれば、装置本体を、離脱自在に装着されたカメラ付き携帯電話機のカメラレンズがカメラ撮影の対象となる見張り場所に向くように配置して、作動信号出力手段からボタン操作部を作動させる作動信号が出力されると、装置本体に設けられたボタン操作部は、装置本体に装着されたカメラ付き携帯電話機による見張り場所のカメラ撮影画像を、撮影画像を受信し画面表示することが可能な特定の送信先へ送信するために、カメラ付き携帯電話機の操作ボタンを押圧操作するので、特別な工事を必要とせず安価に設置できる簡易なシステムで、警備対象や監視対象の規模が小さくても容易に見張り装置を導入することができる。
【発明を実施するための最良の形態】
【０００８】
以下、この発明を実施するための最良の形態について図面を参照して説明する。
（第１の実施形態）
図１は、この発明の一実施例である第１の実施形態に係る携帯電話を用いた見張り装置の斜視図である。図１に示すように、携帯電話を用いた見張り装置１０は、電話機載置台１１、ボタン操作部１２、センサ接続部１３、及び装置本体１４を有している。カメラ付き携帯電話機１５が装着される電話機載置台１１、及びカメラ付き携帯電話機１５のボタン操作を行うボタン操作部１２は、装置本体１４の上面に並設されており、感応センサ１６が接続されるセンサ接続部１３は、装置本体１４の端面に設けられている。
【０００９】
カメラ付き携帯電話機１５は、縦長の全体が、各種文字情報や画像情報を表示する表示部１５ａと各種操作ボタン１７が配置された操作部１５ｂに、ほぼ二分割されており、表示部１５ａと操作部１５ｂを平面状態に或いは折り重ね状態に、自由に変化させることができる。そして、例えば、表示部１５ａの上端部に、表示部１５ａ側を撮影方向とするカメラレンズ１８が設置されている。
【００１０】
電話機載置台１１は、表示部１５ａを操作部１５ｂとほぼ直交させた状態（図１参照）のカメラ付き携帯電話機１５を載置固定することができる、三方が周壁１１ａで囲まれた縦長の矩形状板体により形成されている。カメラ付き携帯電話機１５の電話機載置台１１への装着或いは電話機載置台１１からの離脱は、周壁１１ａが設けられていない一方の長辺側から行うことができる。電話機載置台１１の一方の短辺側は、カメラ付き携帯電話機１５の差込口１５ｃに充電器用プラグ（図示しない）を接続するために、切り欠かれている。
【００１１】
この電話機載置台１１は、底面の複数ヶ所（この例では４ヶ所）に取り付けたコイルバネ等の弾性部材１９及び変位規制手段（図示しない）を介して、押し下げ操作により下方変位可能に装置本体１４に固定されている。変位規制手段により、押し下げ操作による電話機載置台１１の下方変位時、並設されたボタン操作部１２に隣接する側の方が反対側より大きく変位して傾斜状態となるように、変位が規制される。カメラ付き携帯電話機１５が載置された電話機載置台１１は、弾性部材１９の付勢力により、ボタン操作部１２の後述する操作板２０の押圧突起に、下方から各種操作ボタン１７の内の特定操作ボタン１７ａ，１７ｂ，１７ｃが接触する状態に保持される。
【００１２】
図２は、図１のボタン操作部からカバーを外した状態を示す装置本体の部分斜視図である。なお、この図では、電話機載置台１１にカメラ付き携帯電話機１５は載置されていない。図２に示すように、ボタン操作部１２は、カメラ付き携帯電話機１５の３個の特定操作ボタン１７ａ，１７ｂ，１７ｃをそれぞれ押し下げ操作するための薄い幅広の板体からなる３個の操作板２０ａ，２０ｂ，２０ｃ、及び３個の操作板２０ａ，２０ｂ，２０ｃをそれぞれ駆動する３個のソレノイド２１ａ，２１ｂ，２１ｃを有している。
【００１３】
各操作板２０は、一端側がソレノイド２１の駆動軸（図示しない）上方に位置すると共に、他端側が電話機載置台１１に載置されたカメラ付き携帯電話機１５の操作面１５ｂ上方に位置しており、操作板２０の長手方向ほぼ中間部を支点として、一端側（ソレノイド２１側）と他端側（操作面１５ｂ側）が交互に上下動するように、即ち、シーソー動作するように、軸支されている。操作板２０の一端側には、駆動軸が接触する部分に受け部材（図示しない）が取り付けられ、他端側の尖端部には、下面側に突出する押圧突起（図示しない）が取り付けられている。
【００１４】
３個の操作板２０ａ，２０ｂ，２０ｃの各押圧突起は、操作面１５ｂに配置された各種操作ボタン１７の内の３個、即ち、予め設定登録されている、カメラ撮影画像を受信し画像表示することが可能な特定の送信先電話番号を短縮ダイアル操作で指定するためと、指定された電話番号への発呼を行うためと、カメラ撮影の対象となる見張り場所のカメラ撮影を行うための３個の特定操作ボタン１７ａ，１７ｂ，１７ｃ、の上に配置されている。従って、３個の操作板２０ａ，２０ｂ，２０ｃが記載順に作動し、３個の特定操作ボタン１７ａ，１７ｂ，１７ｃが記載順に押し下げ操作されることにより、短縮ダイアル操作が実行されて予め登録された特定の送信先を呼び出し、呼び出し先へ見張り場所のカメラ撮影画像を送信することができる。
【００１５】
これら３個の操作板２０ａ，２０ｂ，２０ｃは、カバー２２によって一端側ほぼ半分が覆われている。この状態で、各操作板２０の一端側は、カバー２２の裏面に取り付けたばね部材（図示しない）により下方付勢され、各ソレノイド２１の駆動軸上端に受け部材を接触させた状態に保持される。このため、各ソレノイド２１が動作せず下降状態にある駆動軸に一端側が接触した状態では、各操作板２０のシーソー動作により他端側は操作面１５ｂから離間しており、各ソレノイド２１が動作して上昇状態にある駆動軸に一端側が押し上げられた状態では、各操作板２０のシーソー動作により他端側は押圧突起を介して操作面１５ｂを押し下げることになる。
【００１６】
各ソレノイド２１は、上下動する駆動軸が電話機載置台１１の側方に位置するように、駆動軸を上方に向けてほぼ全体が装置本体１４内部に組み込まれて配置されている。各ソレノイド２１の駆動軸の先端には、各操作板２０に取り付けられた受け部材が接触している。各ソレノイド２１は、後述するソレノイド駆動回路２８からの駆動信号が入力することにより駆動される。
【００１７】
センサ接続部１３は、見張り場所である感知範囲に人が入ったことを感知する感応センサ１６を接続する接続端子である。感応センサ１６は、温度変化を感知するものの他、赤外線を用いて感知するもの等、感応センサ１６を設置した場所に人が入り込んだことを感知することができるものであればよい。
【００１８】
図３は、図１の装置本体のセンサ接続部が設けられた側端面を示す部分斜視図である。図３に示すように、薄型の箱状に形成された装置本体１４（図１参照）の一方の端面には、ランプ２３を接続するためのランプ用コンセント２４、充電器（図示しない）を接続するための充電器用コンセント２５、及び携帯電話を用いた見張り装置１０の動作をオン・オフするスイッチ２６が設けられ、更に、電源（１００Ｖ）に接続するための電源プラグ２７ａを有する電源コード２７が引き出されている。ランプ２３は、カメラ付き携帯電話機１５のカメラによる撮影を行う際に、カメラ撮影の対象となる見張り場所を照射して必要な明るさを確保するためのものであり、点灯後、カメラ撮影が終了するまでのある一定時間点灯し続けた後、消灯する。充電器は、カメラ付き携帯電話機１５に内蔵された充電電池を充電するためのものである。
【００１９】
図４は、図１の装置本体の内部構造を概略的に示す説明図である。図４に示すように、装置本体１４は、内部にソレノイド駆動回路２８及びパワートランス２９を備えている。電源コード２７には、スイッチ２６を介して、センサ接続部１３及び充電器用コンセント２５が接続されており、更に、センサ接続部１３を介して、ランプ用コンセント２４及びパワートランス２９の入力端子が接続されている。パワートランス２９の出力端子には、ソレノイド駆動回路２８が接続されており、ソレノイド駆動回路２８には、３個のソレノイド２１ａ，２１ｂ，２１ｃがそれぞれ接続されている。
【００２０】
図５は、図４のソレノイド駆動回路の回路構成例を示す回路図である。図５に示すように、ソレノイド駆動回路２８は、各ソレノイド２１がそれぞれ所定時間の遅れを持って順次作動し、各ソレノイド２１を順番に制御する駆動信号を各ソレノイド２１に出力する。各ソレノイド２１を順番に制御する駆動信号は、各ソレノイド２１によって操作される各操作板２０が、３個の特定操作ボタン１７ａ，１７ｂ，１７ｃを所定の順番で押し下げ操作することができるように制御する信号である。このため、感応センサ１６から感知信号が入力すると、ソレノイド駆動回路２８は、３個のソレノイド２１ａ，２１ｂ，２１ｃに一定のタイムラグを経て順番に駆動電流を流し、各ソレノイド２１を順番にオンする。
【００２１】
センサ接続部１３に感応センサ１６を、ランプ用コンセント２４にランプ２３をそれぞれ接続し、スイッチ１９をオンにした後、感応センサ１６が感知することにより出力された感知信号がセンサ接続部１３に入力すると、ランプ用コンセント２４とパワートランス２９に電源電圧（１００Ｖ）が供給される。ランプ用コンセント２４に電源電圧が供給されるとランプ２３が点灯し、パワートランス２９に電源電圧が供給されるとソレノイド駆動回路２８が作動して３個のソレノイド２１ａ，２１ｂ，２１ｃをそれぞれ所定のタイミングで動作させ、各駆動軸を順次所定のタイミングで上昇させる。
【００２２】
各駆動軸の上昇に対応して、各操作板２０が順番にシーソー動作すると、各操作板２０の動作順にそれぞれの押圧突起が３個の特定操作ボタン１７ａ，１７ｂ，１７ｃを押し下げ操作する。３個の特定操作ボタン１７ａ，１７ｂ，１７ｃが順番に押し下げ操作されることにより、短縮ダイアル番号による発呼が実行されて予め登録された、カメラ撮影画像を受信し画像表示することが可能な特定の送信先である携帯電話機を呼び出すと共に、カメラ付き携帯電話機１５のカメラによる撮影が行われる。撮影画像は、カメラが静止画撮影用の場合は静止画となり、動画撮影用では動画となる。
【００２３】
次に、上記構成を有する携帯電話を用いた見張り装置１０の使用例を説明する。この使用例においては、カメラ付き携帯電話機１５とカメラのない携帯電話機（カメラ付きでも良い）の２台の携帯電話機を用意し、カメラのない携帯電話機を携帯して外出する。なお、カメラ付き携帯電話機１５は少なくとも画像の送信ができ、カメラのない携帯電話機は少なくとも画像の受信ができる。
【００２４】
先ず、携帯電話を用いた見張り装置１０のセンサ接続部１３に感応センサ１６を、ランプ用コンセント２４にランプ２３をそれぞれ接続し、電源プラグ２７ａを電源供給コンセント（図示しない）に接続する。そして、電話機載置台１１に、カメラ付き携帯電話機１５をセットする。
【００２５】
セットに際しては、表示部１５ａを立てたカメラ付き携帯電話機１５の操作部１５ｂ側を、電話機載置台１１の操作板２０側を下に押しながら下向き傾斜させた状態で電話機載置台１１に載せ、電話機載置台１１の所定位置に操作部１５ｂ側を収納する。操作部１５ｂ側を所定位置に収納して押すのを止めると、電話機載置台１１の下向き傾斜が解除されて元の状態に復帰し、３個の操作板２０ａ，２０ｂ，２０ｃの各押圧突起がそれぞれ３個の特定操作ボタン１７ａ，１７ｂ，１７ｃの上面に接触した状態になる。
【００２６】
セットされたカメラ付き携帯電話機１５には、予め、外出時に携帯する携帯電話機を呼び出す電話番号が、最初の呼び出し画面の一番目に短縮ダイアル登録されており、特定操作ボタン１７ａを一回押し下げ操作することで、外出時に携帯する携帯電話機の短縮ダイアル番号を指定した状態になる。
【００２７】
次に、電話機載置台１１にカメラ付き携帯電話機１５がセットされた携帯電話を用いた見張り装置１０の装置本体１４を、表示部１５ａのカメラレンズ１８が、見張りたい場所、例えば、玄関や勝手口の内側或いは窓際等に向くように、向きや高さ等を調整して設置する。同様に、感応センサ１６も、感知範囲に見張りたい場所が含まれるように調整して設置する。その後、スイッチ２６をオンし、外出先での呼び出し用携帯電話機を携帯して外出する。
【００２８】
外出中、留守中の家に人が侵入して、感応センサ１６がそれを感知すると、感応センサ１６から感知信号が携帯電話を用いた見張り装置１０に入力する。携帯電話を用いた見張り装置１０に感知信号が入力すると、ランプ２３が点灯し、同時に、３個のソレノイド２１ａ，２１ｂ，２１ｃが順次作動して、３個の特定操作ボタン１７ａ，１７ｂ，１７ｃが順番に押し下げ操作される。３個の特定操作ボタン１７ａ，１７ｂ，１７ｃが操作されることにより、先ず、短縮ダイアル番号が指定され、次に、指定された番号への発呼が行われ、続いて、カメラが作動し、感応センサ１６が感知した対象、即ち、浸入した人の撮影が行われ、撮影画像が送信先へ送信される。カメラ撮影終了後、ランプ２３が消灯する。
【００２９】
従って、呼び出された外出先に携帯した携帯電話機を通話状態にすると、携帯電話を用いた見張り装置１０にセットしたカメラ付き携帯電話機１５のカメラによって撮影された、留守中の家に浸入した人の画像が送信され、外出先に携帯した携帯電話機の表示画面に表示される。また、カメラ付き携帯電話機１５によって拾われた周囲の音声も、同時に聞くことができる。なお、カメラ付き携帯電話機１５が拾った音声のみを送っても良く、この場合、２つの特定操作ボタンの操作だけでよい。
【００３０】
また、操作する特定操作ボタン１７の数は、３個に限らず、特定の送信先電話番号の指定、指定された電話番号への発呼、見張り場所のカメラ撮影を行うことができるならば、１個、２個、或いは４個以上でも良く、特定操作ボタン１７を押し下げ操作するための操作板２０及び操作板２０を駆動するソレノイド２１の数も、特定操作ボタン１７の数に合わて、１個、２個、或いは４個以上でも良い。
【００３１】
また、携帯電話を用いた見張り装置１０にセットされるカメラ付き携帯電話機１５のカメラは、通常、固定されているが、必要に応じてカメラの撮影方向を自由に代えられるように、例えば、装置本体１４に回動自在なターンテーブルを組み込んでも良い。
【００３２】
このように、この発明によれば、携帯電話を用いた見張り装置１０は、カメラレンズを備えたカメラ付き携帯電話機１５が装着される電話機載置台１１と、電話機載置台１１が設置され、カメラレンズをカメラ撮影の対象となる見張り場所に向けて配置する装置本体１４と、装置本体１４に設置され、見張り場所の変化を感知する感応センサ１６からの感知信号の入力により、カメラ付き携帯電話機１５による、見張り場所のカメラ撮影、カメラ撮影画像を受信し画像表示することが可能な特定の送信先電話番号の指定、指定された電話番号への発呼を行うために、カメラ付き携帯電話機１５の特定操作ボタン１７ａ，１７ｂ，１７ｃを操作するボタン操作部１２とを有する。このボタン操作部１２により、特定の送信先電話番号の指定、指定された電話番号への発呼、見張り場所のカメラ撮影を記載順に行うための、操作ボタンの一連の操作が行われる。
【００３３】
従って、カメラ付きの携帯電話機１５により自動的に撮影した見張り場所の画像を、予め決められた携帯電話機に自動的に送信することができるので、留守中の家に人の浸入があった場合、外出先からでも、浸入した人をカメラ撮影画像と音声で確認することができる。その上、カメラで撮影するのは、感知センサ１６で感知した、その時点のみである。この撮影画像は、携帯電話機内の記憶手段に記録することもできる。よって、留守中に人の浸入等があった場合、家に帰ってから知るのではなく、浸入と同時に確認することができるので、管理人に連絡したり警察に通報する等の臨機応変な対応が可能となる。
【００３４】
また、感応センサ１６を温度感知センサとして、台所等の火を用いる場所を感知することができるように設置すると共に、この感知対象場所をカメラ撮影対象とすれば、例えば、火災発生前の温度上昇を感知して、現在状況をカメラ撮影画像により直接確認することができる。これにより、直ぐに家に戻ったり、管理人に知らせたり、或いは消防署に通報する等の臨機応変な対応が可能となり、火災発生を未然に防止することもできる。
【００３５】
この携帯電話を用いた見張り装置１０にセットするカメラ付き携帯電話機１５は、現在、市販されている、種々のカメラ付き携帯電話機を使用することができるので、携帯電話を用いた見張り装置１０を用意すれば、大がかりな工事等を必要とせずに、個人で簡単に、且つ、安価に、その上、現在使用している携帯電話機の使用範囲で行われるので新たな料金の発生を生じさせずに、留守の家の見張りをするための装置を備えることができる。
【００３６】
同様に、感応センサ１６やランプ２３も、侵入者を感知すると点灯して侵入者を照らし出す装置として市販されている物を利用することができ、ソレノイド２１も一般的な物で良い。従って、異常が発生した留守中の家の現在状況をカメラ撮影画像により直接確認することができる携帯電話を用いた見張り装置１０を、廉価で提供することができる。
【００３７】
なお、上記実施の形態において、感応センサ１６として、バイメタル等を用いた温度センサ、振動や音圧を感知するセンサ等を用いても良い。また、携帯電話を用いた見張り装置１０に、人が触れたり持ち上げたりしたことを感知する感知センサを備えて、感知した場合、警報ブザーを発するようにしても良い。
【００３８】
また、電話機載置台１１として、カメラ付き携帯電話機１５等の携帯電話機に付属している、充電機能を備えたホルダを用いても良く、この場合、使用する携帯電話機のメーカ別にホルダを交換することで、全ての機種について対応することができる。
【００３９】
また、ボタン操作部１２を、外側辺がアーム駆動軸として操作板２０と共に外側へ回動可能に形成することにより、電話機載置台１１に載置したカメラ付き携帯電話機１５の装置本体１４への着脱を容易に行うことができる。
（第２の実施形態）
図６は、この発明の一実施例である第２の実施形態に係る携帯電話を用いた見張り装置の斜視図である。図６に示すように、携帯電話を用いた見張り装置３０は、カメラ付き携帯電話機１５を保持するホルダ３１と、カメラ付き携帯電話機１５を保持したホルダ３１を収納する装置本体３２とを有している。
【００４０】
ホルダ３１は、カメラ付き携帯電話機１５の操作部１５ｂを横置き状態で填め込み保持することができる受け型状に形成されており、表示部１５ａを立てたまま操作部１５ｂを横置き状態に固定することができる。また、ホルダ３１は、カメラ付き携帯電話機１５の充電器としての機能も備えており、カメラ付き携帯電話機１５をホルダ３１に装着固定して充電することができる。このホルダ３１は、操作部１５ｂを横置き状態に保持することができれば良く、カメラ付き携帯電話機１５を充電するために用意されている充電用アダプタを利用しても良い。
【００４１】
装置本体３２は、前端部にスライド（ＳＬＤ）スイッチ３３ａ及びオンオフ（ＯＮ／ＯＦＦ）スイッチ３３ｂを並設した長方形状の上面を有する台部３４、及び台部３４と一体化し台部３４の上面を覆うカバー部３５を有する。カバー部３５は、台部３４の一方の長辺側が切り欠かれて開口しており、カバー部３５に覆われた台部３４の上方空間にカメラ付き携帯電話機１５を装着したホルダ３１を収納するための、ホルダ収納口３６が形成される。このカバー部３５には、開閉可能な蓋３５ａにより塞がれた、後述する点検調整口６８が開けられている。
【００４２】
台部３４の長辺方向ほぼ中央には、台部３４の長辺とほぼ直交して台部３４の上面及びホルダ収納口３６の側面に開口するスリット３７が開けられ、スリット３７には、ホルダ収納口３６の側面から進出自在にスリット３７に沿って移動するホルダ取付部材３８が配置されている。このホルダ取付部材３８には、ホルダ取付部材３８の進出退避動作に伴ってホルダ３１が台部３４上面を移動することができるように、ホルダ３１が取り付け固定されている。
【００４３】
カバー部３５に覆われた台部３４の上方空間には、カメラ付き携帯電話機１５の操作ボタン１７を操作するボタン操作部１２（図８，９参照）が設けられている。台部３５の側端面には、カメラ付き携帯電話機１５の充電器及びランプの電源プラグがそれぞれ接続される電源コンセント（図示しない）、センサが接続される接続部（図示しない）が設けられ、台部３４の底面には、例えば、ゴム等の滑り難い部材からなる足部３９が４個設けられている。また、装置本体３２は、台部３４の底面に壁掛け用の穴（図示しない）が開けられており、据え置きと壁掛けの何れも可能に形成されている。
【００４４】
図７は、図６の装置本体に設置されたホルダ取付部材の斜視図である。図７に示すように、ホルダ取付部材３８は、上面にホルダ３１（図６参照）を取り付け固定する取付面を有する角棒状に形成され、台部３４から突出する進出端とは反対側の端部側下部を段状に拡大させた係止段部３８ａを有している。係止段部３８ａには、ホルダ取付部材３８の進出方向に沿って台部３４に固定された丸棒状のガイド部材４０が貫通しており、係止段部３８ａの進出端とは反対側の端面とこの端面に対向する台部３４の間には、ホルダ取付部材３８を進出状態に付勢するコイルバネ４１等の付勢手段が、ガイド部材４０を貫通させて装着されている。
【００４５】
ホルダ取付部材３８の進出端が台部３４の側面から突出していない状態では、係止段部３８ａの進出端側面に、下方から係止バー４２の係止部４２ａが係止し、その状態が保持される。係止バー４２は、ガイド部材４０に沿って配置され、係止部４２ａの反対側の端部が、台部３４に取り付けられたバー受け部４３に回動自在に軸支されると共に、例えば係止部４２ａ下方に設置されたコイルバネ４４等の付勢手段により上方へと付勢されている。この係止バー４２は、スライドスイッチ３３ａのオン操作により、係止バー４２が下方移動して係止部４２ａと進出側端面の係止が解除されホルダ取付部材３８が進出状態になるように、スライドスイッチ３３ａの動きを係止バー４２に伝達する連結手段（図示しない）を介して、スライドスイッチ３３ａに連結されている。
【００４６】
図８は、図６の装置本体に設置されたボタン操作部の斜視図である。図８に示すように、ボタン操作部１２は、操作部１５ｂに配置された操作ボタン１７を操作する２本のアーム４５、各アーム４５を上下動させるアーム駆動軸４６、アーム駆動軸４６を駆動するモータ４７を有している。各アーム４５は、略「つ」字形に形成されており、曲がり部ほぼ中央を回動支点として回動自在にアーム支持部４８に支持されている。各アーム４５の上部開放端は、ホルダ３１と共に台部３４の上方空間に収納されたカメラ付き携帯電話機１５の操作部１５ｂ上方に位置し、各下部開放端の近傍上方には、各アーム４５と直交するようにアーム駆動軸４６が配置されている。
【００４７】
各上部開放端の先端部には、下方への突出量が調整可能で、上部開放端の下方移動時にカメラ付き携帯電話機１５の操作ボタン１７を押し下げ操作することができる押圧ネジ４９が装着されている。各下部開放端の下面側には、コイルバネ５０（一方のみ図示）等の付勢手段が固定されており、各上部開放端を押し上げた状態、即ち、各アーム４５を上方回動させた状態に保持している。
【００４８】
アーム駆動軸４６は、両アーム４５の外側に配置されたモータ受け部５１と軸受け部５２に掛け渡されて回動自在に支持されており、モータ受け部５１側の軸端近傍にはギヤ５３が取り付けられている。ギヤ５３には、モータ受け部５１に装着されたモータ４７の駆動軸に取り付けられたギヤ５４が噛合し、モータ４７の駆動力がギヤ５４を介して伝達される。このアーム駆動軸４６が各アーム４５の下部と交差する２箇所には、アーム駆動軸４６の外周面から放射状に突出する突起５５が形成されており、各突起５５は、アーム駆動軸４６の回動に伴ってそれぞれ異なったタイミングで各アーム４５に接触し、各下部開放端を押し下げる。また、アーム駆動軸４６のモータ受け部５１側端には、アーム駆動軸４６の１回転毎にフォトインタラプタ５６の光路を機械的に遮断する金属片５７が取り付けられている。
【００４９】
このボタン操作部１２は、オンオフスイッチ３３ｂをオン操作することにより作動可能状態となる。そして、装置本体３２に設けた制御部（図示しない）から作動信号が入力すると、モータ４７が作動して２個のアーム４５を順番に押し下げ、アーム４５の上部開放端に取り付けられた押圧ネジ４９がカメラ付き携帯電話機１５の２個の操作ボタン１７を順番に押し下げ操作して、カメラ付き携帯電話機１５のカメラレンズ１８による撮影を行った後、撮影画像を予め短縮ダイヤル設定された電話番号先に送信する。
【００５０】
図９は、図６の装置本体の内部構造を示す一部破断した説明図である。図９に示すように、スライドスイッチ３３ａの操作により係止バー４２をコイルバネ４４の付勢力に抗して下方移動させ、係止段部３８ａの進出端面と係止バー４２の係止部４２ａの係止を解除すると、係止段部３８ａの係止が解除されたホルダ取付部材３８は、コイルバネ４１の付勢力により係止段部３８ａがガイド部材４０に案内されてホルダ収納口３６側へと移動し、ホルダ取付部材３８の進出端を台部３４の側面から突出させた進出状態となる。
【００５１】
ホルダ取付部材３８の進出端の突出に伴い、ホルダ３１はその全体をホルダ収納口３６から露出させる（図中、矢印及び一点鎖線参照）。このとき、アーム駆動軸４６の突起５５は各アーム４５の下部開放端に接触しておらず、アーム４５は、コイルバネ５０の付勢力により押し上げられた状態に保持されている。
【００５２】
ホルダ３１がホルダ収納口３６から露出することにより、カメラ付き携帯電話機１５の操作部１５ｂを横置き状態にしてホルダ３１に装着固定することができ、或いは、ホルダ３１に装着固定されたカメラ付き携帯電話機１５を、カバー部３５を回避してホルダ３１から簡単に取り外し離脱させることができる。
【００５３】
ホルダ収納口３６から露出したホルダ３１を、ホルダ収納口３６からカバー部３５内へと押し込むと、ホルダ取付部材３８は、コイルバネ４１の付勢力に抗してガイド部材４０に案内され、ホルダ取付部材３８の進出端を台部３４の側面に位置させた退避状態となる。このとき、係止段部３８ａが係止バー４２の係止部４２ａを越えると同時に、係止バー４２の係止部４２ａがコイルバネ４４の付勢力により押し上げられ、係止部４２ａがホルダ取付部材３８の係止段部３８ａに係止する。
【００５４】
この結果、装置本体３２は、ホルダ３１が台部３４から突出することなくホルダ３１に装着したカメラ付き携帯電話機１５のほぼ半分がカバー部３５から露出した状態に保持される、電話機格納状態になる（図中、実線参照）。なお、電話機格納状態でも容易に携帯電話機１５の電源ＯＮ／ＯＦＦがし易いように、カバー部３５と操作部１５ｂの間には、指が入れ易い十分なスペースが確保されている。
【００５５】
電話機格納状態において、アーム４５は、コイルバネ５０の付勢力により押し上げられた状態に保持されており、ホルダ３１にカメラ付き携帯電話機１５が装着されている場合、操作部１５ｂの特定の操作ボタン１７の上方には、上部開放端の下方移動により特定の操作ボタン１７を押し下げ操作することができるように、上部開放端の先端部分に押圧ネジ４９が位置している。
【００５６】
従って、モータ４７に駆動されてアーム駆動軸４６が回動し、各突起５５がそれぞれ各アーム４５の下部開放端にタイミングをずらして接触し下部開放端を押し下げることにより、アーム支持部４８を支点としてシーソーのように各上部開放端が下方移動する。アーム駆動軸４６は、金属片５７がフォトインタラプタ５６の光路を遮断することにより、１回転して停止する。
【００５７】
各上部開放端の下方移動に伴って、各押圧ネジ４９がタイミングをずらしてそれぞれの直下に位置する２個の操作ボタン１７を個別に押し下げ操作する。つまり、２個設置されたアーム４５は、それぞれ個別に時間をずらして２個の操作ボタン１７を押圧操作する。更に、アーム駆動軸４６が回動して各突起５５が各下部開放端から離れると、各下部開放端がコイルバネ５０の付勢力により押し上げられ、各上部開放端が上方へ移動して各押圧ネジ４９が操作ボタン１７から離れる。
【００５８】
このように、装置本体３２は、カメラレンズ１８が配置された表示部１５ａを立てて操作ボタン１７が配置された操作部１５ｂを横置きにした状態で、カメラ付き携帯電話機１５が装着されたホルダ３１を、装置本体３２の上面を覆うカバー部３５内に位置させた収納状態からカメラ付き携帯電話機１５をカバー部３５から露出させたホルダ３１に対する着脱可能状態に横移動させるホルダ取付部材３８を有し、ボタン操作部１２は、作動信号の入力により作動するモータ４７の駆動力が伝達されて下方移動し、収納状態にあるカメラ付き携帯電話機１５の特定の操作ボタン１７を押圧操作すると共に、押圧操作後上方移動して操作ボタン１７から離れるアーム４５を有する。
【００５９】
図１０は、図６の携帯電話を用いた見張り装置の回路構成を概略的に示す説明図である。図１０に示すように、携帯電話を用いた見張り装置３０は、基本的に装置本体３２と感知センサ１６の二つに分かれており、使用に際し、感知センサ１６、ホルダ３１を兼ねた携帯電話機充電器５８及び赤外線検知により点灯するランプ２３が、それぞれ充電器用コンセント２５、ランプ用コンセント２４を介して、装置本体３２に接続される。装置本体３２内には、ＤＣ６Ｖのパワーパック５９及びバックアップ用電池６０と共に、モータ４７を駆動するモータ駆動回路（図示しない）、感応センサ１６からの検出信号に基づきモータ駆動信号を出力するセンサ回路（図示しない）等から構成される回路部６１を有している。
【００６０】
図１１は、図１０の回路部の具体例を示す回路図である。図１１に示すように、装置本体３２の電源は、ＡＣ１００Ｖを基本とし、携帯電話機充電機５８やランプ２３に電力を供給する。装置本体３２内のモータ駆動回路やセンサ回路等は、ＡＣ１００Ｖから変換された定電圧ＤＣを使用する。また、停電に備えて、バックアップ用電池（例えば、ナトリウム又はリチウム）６０によるバックアップ機能を備える。
【００６１】
装置本体３２と感応センサ１６の接続は、例えば４芯ケーブルのモジュラコネクタで行い、複数台の各種センサをパラレル接続して選択動作させてもよい。装置本体３２は、赤外線を用いた人や動物の動きを感知する赤外線センサ１６ａを含む二種類以上の感応センサ１６からの検出信号に応答する機能と、感応センサ１６からの検出信号により動作するモータ駆動機能を有する。即ち、感応センサ１６は、ボタン操作部１２を作動させる作動信号を出力する作動信号出力手段として機能する。
【００６２】
人や動物等の動きを感知するセンサ以外のセンサとしては、煙発生や設定温度以上の温度変化を感知する例えばバイメタル温度センサ１６ｂ等の火災検知用センサの他、寝たきりの人や目の不自由な人が介護人を呼び出すためにボールに触れ、それによるボールの変化に伴う押圧力を感知する圧力センサ、或いは音声の入力を感知するセンサ等を用いても良い。
【００６３】
これらのセンサからの検出信号が入力すると、侵入者感知の場合はランプ２３が点灯し、火災検知や介護人呼出動作の場合はブザー（図１１、Ｄｅｖ３参照）が鳴動する。ブザー鳴動により、目が不自由な人にとっては押しボタン操作を音で確認することができ、また、携帯電話を用いた見張り装置３０から離れて火災報知器を設置した場合等の、赤外線による検出ができない（カメラ付き携帯電話機１５のカメラに映らない）状況では、カメラ付き携帯電話機１５の通話口にブザー音が入力することで確認することができる。
【００６４】
図１１の回路図において、電源スイッチがＯＮし、フォトインタラプタ５６が遮蔽状態で、センサからの検出信号が入力すると、コンデンサＣ４に電流が流れ、トランジスタＴｒ１が導通する。次に、トランジスタＴｒ２のバッファが動作し、トランジスタＴｒ３のモータ低電圧回路が動作してモータ４７が回転する。同時に、Ｄｅｖ１のＬＥＤが点灯する。次に、モータ４７の回転に伴って、フォトインタラプタ５６が作動し、トランジスタＴｒ１が正帰還回路動作に入る。
【００６５】
次に、コンデンサＣ４がチャージされ、約１秒後に、コンデンサＣ４からのトランジスタＴｒ１ベース電流が無くなるが、正帰還回路動作は継続される。コンデンサＣ４の動作は重要であり、センサ連続信号を１秒間ＯＮ信号として、モータ４７によるフォトインタラプタ５６のＯＦＦ→ＯＮ時間を与える。次に、アーム駆動軸４６が１回転して、フォトインタラプタ５６の遮蔽により正帰還回路がＯＦＦとなり、モータ４７は回転を停止する。その後、カメラ付き携帯電話機１５が送信を始め、電波検出信号で新たなセンサからの検出信号による多回転を防止する。
【００６６】
この携帯電話を用いた見張り装置３０を使用して、例えば、外出先で見張り場所の情報を知りたい場合、先ず、感知センサ１６とランプ２３を接続した装置本体３２にカメラ付き携帯電話機１５を装着する。スライドスイッチ３３ａを操作すると、ホルダ取付部材３８が台部３４に対し進出状態となり、ホルダ３１がカバー部３５の外に出てホルダ収納口３６から露出する。このホルダ３１に、表示部１５ａを立てて操作部１５ｂを横置き状態にしたカメラ付き携帯電話機１５を装着する（図９、一点鎖線参照）。
【００６７】
カメラ付き携帯電話機１５を装着した後、ホルダ３１をカバー部３５内へと押し込んでホルダ取付部材３８を退避させる。退避させたホルダ取付部材３８は、ホルダ３１全体が台部３４上面に重なった状態で係止段部３８ａが係止部４２ａに係止し、退避状態に保持固定されることになり、ホルダ３１はホルダ収納口３６に収納された状態になる。
【００６８】
ホルダ収納状態において、表示部１５ａの上端部に設置されたカメラレンズ１８の撮影方向が、見張りたい場所、例えば、玄関や窓或いはベッド等に向くように、表示部１５ａや装置本体３２を調整する。同様に、感知センサ１６等のセンサの設置場所を、見張りたい場所への人や動物等の侵入を検出し或いは異常高温や煙の発生を検出することができるように、また、ベッドに寝ている人が操作できるように適切な位置に調整し、ランプ２３の設置場所も必要な照射ができるように調整する。
【００６９】
次に、オンオフスイッチ３３ｂをオン操作して携帯電話を用いた見張り装置３０を作動状態とした後、呼び出し用の携帯電話機を持って外出する。外出時、例えば、見張り場所である玄関から内部に浸入する者がいた場合、センサの感知範囲に浸入者が入ると同時にセンサが感知し、センサから検出信号が装置本体３２の回路部６１に送られる。
【００７０】
回路部６１に検出信号が入力することにより、ランプ２３が点灯し、同時に、モータ４７が回転する。モータ４７が回転することにより、アーム駆動軸４６が回転してアーム駆動軸４６の２つの突起５５が各アーム４５の下部開放端を押し下げ、各上部開放端の押圧ネジ４９を下方移動させて、ホルダ３１にセットされたカメラ付き携帯電話機１５の２個の操作ボタン１７をタイミングをずらして押し下げる。２個の操作ボタン１７が押圧操作されると、カメラ付き携帯電話機１５により、センサ検出対象である浸入者の撮影が行われ、撮影画像が予め設定された送信先である呼び出し用の携帯電話機に送信される。
【００７１】
従って、呼び出された呼び出し用の携帯電話機を通話状態にすると、カメラ付き携帯電話機１５のカメラによって撮影された見張り場所の様子を、外出先において呼び出し用の携帯電話機の表示画面を見て確認することができる。また、カメラ付き携帯電話機１５によって拾われた周囲の音声も、同時に聞くことができる。
【００７２】
このため、留守中に浸入者があった場合等、見張り場所における変化がセンサによって検出された場合、外出先からでも、手許の携帯電話機の表示画面に映し出された画像によって見張り場所の様子を確認することができる。なお、カメラ付き携帯電話機１５によるカメラ撮影及び撮影画像の送信は２個のボタン操作により可能なので、この動作を繰り返すことにより何回でもカメラ撮影して撮影画像を送信することができる。
【００７３】
図１２は、図８のアーム、アーム支持部及びアーム駆動軸の他の例を示す斜視図である。図１２に示すように、アーム６２は、押圧ネジ４９を操作部１５ｂの横幅方向に移動することができ、アーム支持部６３は、アーム軸６４及びアーム軸６４の両端を回動自在に支持する軸受け部６５を有し、アーム駆動軸６６は、取付位置を変えた複数の突起５５を有する。これらアーム６２、アーム支持部６３及びアーム駆動軸６６により、カメラ付き携帯電話機１５の操作部１５ｂに配置された何れの操作ボタン１７も押し下げ操作することができる。
【００７４】
アーム６２は、上部開放端側が、格納状態のカメラ付き携帯電話機１５の最外側操作ボタン１７の上方に位置する長さを有しており、上部開放端には、最内側操作ボタン１７の上方から最外側操作ボタン１７の上方に達するスリット６２ａが開けられている。このスリット６２ａに装着された押圧ネジ４９は、スリット６２ａに沿って自由に移動できると共に任意の場所で固定することができ、また、スリット６２ａ内の何れの位置においても、その突出量を調整することができる。押圧ネジ４９の調整固定は、例えば、アーム６２を上下両側から挟み込むように押圧ネジ４９に螺着させたナット等の固定手段を用いて行うことができる。
【００７５】
アーム軸６４は、アーム６２の曲がり部ほぼ中央をアーム６２とほぼ直交して貫通する棒状に形成されて、アーム駆動軸６６にほぼ平行に設置されており、アーム軸６４を貫通させた両アーム６２は、アーム軸６４に沿って自在に摺動する（図中、矢印参照）。摺動するアーム６２は、アーム軸６４に達するように曲がり部にねじ込んだ位置決めネジ６７により、アーム軸６４の任意の位置で固定することができる。
【００７６】
アーム駆動軸６６は、使用するカメラ付き携帯電話機１５によるカメラ撮影及び撮影画像送信のために操作する２個の操作ボタン１７の位置及び押圧タイミングに対応することができるように、取付位置が異なる複数の突起５５を有している。これらの突起５５により、使用するカメラ付き携帯電話機１５に合わせて固定したアーム６２の各上部開放端を、アーム駆動軸６６の回動による突起５５の動きに合わせて下方移動させることができ、各押圧ネジ４９によりそれぞれの直下に位置する２個の操作ボタン１７を個別に押し下げ操作することができる。
【００７７】
即ち、各アーム６２は、操作ボタン配列縦方向に沿って移動及び固定可能に設置され、各アーム６２の上部開放端には、操作ボタン配列横方向に沿って移動及び固定可能に、且つ、前記操作ボタンとの距離を調節可能に、前記操作ボタンを押圧操作する押圧ネジが装着されている。
【００７８】
アーム６２、アーム支持部６３及びアーム駆動軸６６のその他の構成及び作用は、アーム４５、アーム支持部４８及びアーム駆動軸４６と同一である。なお、アーム６２や押圧ネジ４９の移動及び調整は、カバー部３５に形成した点検調整口６８（図６参照）から、位置決めネジ６７やナット等を手で操作することにより工具無しで容易に行うことができる。
【００７９】
このように、携帯電話を用いた見張り装置３０は、カメラ付き携帯電話機１５により自動的に撮影した見張り場所の画像を、予め決められた携帯電話機に自動的に送信することができるので、例えば、留守中に浸入者があった場合、外出先からでも浸入者をカメラ撮影画像と音声で確認することができる。よって、留守中にあったことを帰ってから知るのではなく、変化を検出した時点で確認することができるので、変化発生と同時に管理人に連絡したり警察に通報することができ、臨機応変な対応が可能になる。
【００８０】
また、火災検知用のバイメタル温度センサを台所等の火を用いる場所を感知することができるように設置すると共に、この感知対象場所をカメラ撮影対象とすれば、例えば、火災発生前の温度上昇を検出して、現在状況をカメラ撮影画像により直接確認することができる。これにより、直ぐに家に戻ったり、管理人に知らせたり、或いは消防署に通報する等の対応が可能となり、火災発生を未然に防止することもできる。
【００８１】
また、寝たきりの人や目の不自由な人がボールに触れ、それによるボールの変化を検出する圧力センサを用いることにより、寝たきりの人や目の不自由な人が介護人を呼び出す必要が生じたときに、その様子をカメラ撮影画像により直接確認することができる。これにより、直ぐに必要な対応が可能となる。
【００８２】
この携帯電話を用いた見張り装置３０は、操作ボタン１７の位置に応じて押圧ネジ４９の位置を任意に調整することができるので、カメラ撮影と撮影画像送信をするための短縮ダイヤル操作のボタン位置が異なっていたとしても、簡単な手作業で対応することができ、現在、市販されている種々のカメラ付き携帯電話機１５を自由に選んで利用することができる。
【００８３】
従って、携帯電話を用いた見張り装置３０を用意すれば、大がかりな工事等を必要とせずに、個人で簡単に、且つ、安価に、その上、現在使用している携帯電話機の使用範囲で行われるので新たな料金の発生を生じさせずに、留守の見張りをするための装置を備えることができる。同様に、感応センサ１６やランプ２３も、侵入者等を感知すると点灯して侵入者等を照らし出す装置として市販されている物を利用することができるので、留守中の見張り場所で変化があった場合にその状況をカメラ撮影画像により直接確認することができる携帯電話を用いた見張り装置３０を、廉価で提供することができる。
（第３の実施形態）
図１３は、この発明の一実施例である第３の実施形態に係る携帯電話を用いた見張り装置の斜視図である。図１３に示すように、携帯電話を用いた見張り装置７０は、カメラ付き携帯電話機１５の操作ボタン１７を操作するボタン操作部１２がモジュール化されたボタン操作モジュール７１、及びカメラ付き携帯電話機１５が装着固定されるホルダ３１を載置するホルダステージ７２を有する他は、上述した携帯電話を用いた見張り装置３０と同様の構成及び作用を有している。ここで用いられるカメラ付き携帯電話機１５は、ＴＶ（Ｔｅｌｅｖｉｓｉｏｎ）電話機能を備えており、同様にＴＶ電話機能を備えたカメラ付き携帯電話機との間でＴＶ電話よる通話を実施することができる。
【００８４】
図１４は、図１３のボタン操作モジュールの斜視図であり、図１５は、図１３のボタン操作モジュールの傾斜状態を示す一部破断した側面図である。図１４及び図１５に示すように、ボタン操作モジュール７１は、離間配置された一対の側板７３ａ，７３ｂを有するモジュール本体７３と、先端をモジュール本体７３から突出させると共にシーソー動作可能に両側板７３ａ，７３ｂの間に配置された２本のアーム７４，７５と、２本のアーム７４，７５を個別に動かす２個のカム７６ａ，７６ｂが取り付けられたシャフト７７と、シャフト７７を回転駆動する駆動ユニット７８とを有している。
【００８５】
モジュール本体７３は、装置本体３２に固定された２個のＬ字状軸受け７９，７９を介し、底面をＬ字状軸受け７９の取り付け面から離間させて、装置本体３２に装着されている。各Ｌ字状軸受け７９には、各側板７３ａ，７３ｂの外面後端部（即ち、アーム後端側）下端に突設された本体軸８０（一方のみ図示）が、それぞれ回動自在に支持されている。また、モジュール本体７３の底面とＬ字状軸受け７９の取り付け面である装置本体３２の底面３２ａとの間には、コイルバネ８１が挟み込まれている（図１５参照）。
【００８６】
従って、モジュール本体７３は、２本のアーム７４，７５が上下動するように、各側板７３ａ，７３ｂの本体軸８０（一方のみ図示）を支点として先端部側（即ち、アーム先端側）が上下に回動（図１５、矢印参照）可能であり、更に、コイルバネ８１の付勢力により、アーム先端側を上方に持ち上げた状態に、常時、傾斜保持されている（図１５参照）。このように、ボタン操作部１２は、モジュール化され、且つ、着脱可能状態ではアーム７４，７５が操作ボタン１７から離間した傾斜状態に保持することができるように回動可能に軸支されている。
【００８７】
各アーム７４，７５は、両側板７３ａ，７３ｂ間に回動自在に掛け渡されたアーム軸８２に、アーム長手方向中心より前方側（即ち、アーム先端側）部分が支持されており、各アーム先端が、カメラ付き携帯電話機１５の操作ボタン１７の中の押圧操作対象ボタンの上に位置するように配置されている。各アーム７４，７５は、締め付けネジ等の固定手段（図示しない）によりアーム軸８２の任意の位置に固定することができるので、押圧操作対象ボタンの位置に合わせて、必要な長さのアームを必要な位置に装着する。
【００８８】
各アーム７４，７５の先端には、下向きの突起７４ａ，７５ａが形成されており、両突起７４ａ，７５ａは、アーム軸８２を支点とするシーソー動作によるアーム先端の下方回動時に、それぞれ押圧操作対象の操作ボタン１７を押圧操作することができる。押圧操作対象の操作ボタン１７は、画像送信先の電話番号を指定する送信先指定ボタンと、ＴＶ電話機能による発信操作を行うＴＶ電話発信ボタンの２つである。
【００８９】
また、各アーム７４，７５の軸支位置（アーム軸８２との交差位置）より後端側には、コイルバネ８３を収納するための穴が開けられている。これらの穴に、一端を各側板７３ａ，７３ｂの上端より上方に突出させたコイルバネ８３がそれぞれ装着された後、両側板７３ａ，７３ｂの上端間には、押さえ板８４が掛け渡されネジ等により固定される。従って、両アーム７４，７５は、押さえ板８４により圧縮状態にあるコイルバネ８３の付勢力により、常時、各突起７４ａ，７５ａが形成されたアーム先端を上方に向けた状態に保持される。
【００９０】
シャフト７７は、両アーム７４，７５の後端部下方に位置するように、両側板７３ａ，７３ｂ間に回動自在に掛け渡されており、２個のカム７６ａ，７６ｂは、各アーム７４，７５の後端部に下側から接触するように、且つ、それぞれ頂点がずれて取り付けられている。シャフト７７の一端は、一方の側板７３ａの外面側に突出し、突出部分には伝達ギア８５が取り付けられ、突出端には金属片８６が取り付けられている。この金属片８６の回転軌跡上には、フォトインタラプタ８７が配置されている。
【００９１】
駆動ユニット７８は、モータ８８とモータの駆動力を取り出す駆動ギア８９が一体的に形成されており、駆動ギア８９を伝達ギア８５に噛合させた状態で、一方の側板７３ａの外面側に装着されている。モータ８８の作動により駆動ギア８９が回転し、駆動ギア８９の回転が伝達ギア８５を介してシャフト７７に伝えられ、シャフト７７が回転する。シャフト７７は、金属片８６がフォトインタラプタ８７の光路を遮断することにより、１回転して停止する。シャフトの回転と共に２個のカム７６ａ，７６ｂが回転し、各カム７６ａ，７６ｂの動きが各アーム７４，７５に伝えられる。
【００９２】
各アーム７４，７５は、各カム７６ａ，７６ｂの一回転毎に後端部が押し上げられ、上方に向けた状態に保持されているアーム先端を、コイルバネ８３の付勢力に抗して時間差を持って下方移動させる。つまり、各アーム７４，７５は、各カム７６ａ，７６ｂの動きに合わせて順番にアーム軸８２を支点としたシーソー動作を行う。アーム先端の下方移動により、各アーム７４，７５の突起７４ａ，７５ａが、カメラ付き携帯電話機１５の押圧操作対象の２つの操作ボタン１７を順番に押圧操作する。
【００９３】
また、モジュール本体７３の後端面（即ち、アーム後端側）には、下端部を、モジュール本体７３の底面下方に突出させた板状のストッパ９０が取り付けられている。このストッパ９０の内面側（即ち、アーム先端側）対向位置には、ステージ連動部材９１の端面が位置している。ステージ連動部材９１は、連結部材（図示しない）を介してホルダステージ７２に連結されており、その先端部は、ホルダステージ７２の移動、即ち、カメラ付き携帯電話機１５が装着されたホルダ３１の移動に連動して、ストッパ９０の内面に対し接近離反する。
【００９４】
ステージ連動部材９１の後端面には、コイルバネ９２を収納するための穴が開けられており、穴には、端面から先端部を突出させたコイルバネ９２が装着されている（図１５参照）。このコイルバネ９２の突出端は、ホルダステージ７２が押し込まれていない状態では、ストッパ９０の内面から離間しているが、ホルダステージ７２が押し込まれた状態、即ち、各アーム７４，７５の下方に操作ボタン１７が位置している状態では、ステージ連動部材９１の端面がストッパ９０の内面に接近する。このため、ホルダステージ７２が押し込まれると、コイルバネ９２は、ステージ連動部材９１とストッパ９０の間で圧縮された状態になり、その先端がストッパ９０の内面に押し当てられる。
【００９５】
ストッパ９０の内面にコイルバネ９２の付勢力が作用することにより、両本体軸８０を介して両Ｌ字状軸受け７９に軸支されたモジュール本体７３は、モジュール本体７３の底面に挟み込まれたコイルバネ８１の付勢力に抗してアーム先端を下方に向けるように回動し、ストッパ９０がほぼ直立した状態、即ち、各アーム７４，７５がほぼ水平に位置する状態に保持される。ほぼ水平に位置する各アーム７４，７５の下方には、カメラ付き携帯電話機１５の押圧操作対象の２つの操作ボタン１７がそれぞれ位置している。
【００９６】
このように、コイルバネ９２の付勢力によりモジュール本体７３が保持されることで、各アーム７４，７５が下方移動し２つの操作ボタン１７が押圧操作された際に、例えば、操作ボタン１７の押圧許容範囲を越えて各アーム７４，７５の押圧力が加わった場合でも、押圧許容範囲を越える押圧力をコイルバネ９２の圧縮によって吸収することができる。従って、操作ボタン１７の押圧許容範囲を越える押圧力は、アーム先端を上方に向けるようにモジュール本体７３が回動することで逃がされ、操作ボタン１７には加わらない。
【００９７】
続いて、上記構成を有する携帯電話を用いた見張り装置７０の使用方法を説明する。使用に際しては、携帯電話を用いた見張り装置７０にカメラ付き携帯電話機１５を装着した後、この見張り装置７０を、カメラレンズ１８が撮影したい場所に向くように配置する。携帯電話を用いた見張り装置７０へのカメラ付き携帯電話機１５の装着方法を、以下に示す。
【００９８】
先ず、装置本体３２のスライドスイッチ３３ａを操作してカバー部３５の外に飛び出させたホルダ３１に、ボタン表示部１５ａを立てた状態で、カメラ付き携帯電話機１５を装着する。ホルダ３１に装着したカメラ付き携帯電話機１５は、カメラモードに切り換えて、カメラレンズ１８からの画像が表示部１５ａに表示される撮影可能状態にしておく。なお、予め、カメラ付き携帯電話機１５の電話番号リストの１番目には、撮影画像の送り先となるカメラ付き携帯電話機の電話番号を登録しておく。
【００９９】
ホルダ３１がカバー部３５の外に飛び出ることにより、ホルダ３１が載置されたホルダステージ７２の移動に連動するステージ連動部材９１がストッパ９０の内面から離反し、コイルバネ９２の先端がストッパ９０の内面から離れる。コイルバネ９２の付勢力がストッパ９０に加わらなくなると、モジュール本体７３は、コイルバネ８１の付勢力により本体軸８０を支点に回動して、傾斜状態、即ち、各アーム７４，７５の先端を上方に向けた状態に保持される。
【０１００】
次に、カメラ付き携帯電話機１５を装着したホルダ３１をカバー部３５内に押し込む。ホルダ３１の押し込みにより、ホルダ３１を載置したホルダステージ７２が装置本体３２の上面に沿って移動し各アーム７４，７５の下方を通るが、各アーム７４，７５は先端を上方に向けているので、ホルダ３１に装着されたカメラ付き携帯電話機１５の移動に邪魔になることはない。
【０１０１】
ホルダ３１を載置するホルダステージ７２がカバー部３５内に収納された時点で、ホルダ取付部材３８が係止バー４２の係止部４２ａに係止し、カメラ付き携帯電話機１５がカバー部３５内に収納される。ホルダ取付部材３８が係止部４２ａに係止した時点で、コイルバネ９２の先端がストッパ９０の内面に押し当てられ、モジュール本体７３が回動して各アーム７４，７５がほぼ水平に位置し、各アーム７４，７５の下方に近接して、押圧操作対象の２つの操作ボタン１７がそれぞれ位置する。
【０１０２】
次に、装置本体３２のセンサ接続部（図３参照）に接続した感応センサ（図３参照）を、撮影したい場所である出入り口等に設置すると共に、装置本体３２のオンオフスイッチ３３ｂ（図１３参照）をオンにして、携帯電話を用いた見張り装置７０を動作状態にする。この感応センサは、予め、装置本体３２の側面等に組み込んでおいても良く、また、複数箇所に設置しても良い。その後、カメラ付き携帯電話機１５の電話番号リストの１番目に登録しておいた電話番号のカメラ付き携帯電話機を携帯し、その場を離れる。なお、以後の説明において、携帯電話を用いた見張り装置７０に装着したカメラ付き携帯電話機１５を固定機、外出先のカメラ付き携帯電話機を移動機と、それぞれ略称する。
【０１０３】
そして、例えば、侵入者等を感応センサが感知すると、感知センサから携帯電話を用いた見張り装置７０に作動信号が入力し、装置本体３２が起動する。装置本体３２の起動により、駆動ユニット７８が作動してシャフト７７と共に各カム７６ａ，７６ｂが回動し、各カム７６ａ，７６ｂの動きに合わせて、各アーム７４，７５の先端が順次下降する。各アーム７４，７５の先端が下降することにより、各アーム７４，７５のそれぞれの突起７４ａ，７５ａが、それぞれの直下に位置する固定機の２つの操作ボタン１７を順次押圧操作する。
【０１０４】
２つの操作ボタン１７が順次押圧操作されることにより、固定機において、指定された画像送信先番号へのＴＶ電話機能による発信操作が行われる。固定機からの呼出信号を受信した移動機の表示画面には、ＴＶ電話機能により、固定機のカメラが撮影した画像が表示される。
【０１０５】
従って、移動機を携帯することにより、例えば外出先でも、携帯電話を用いた見張り装置７０が設置された場所の様子を、移動機に表示されたカメラ撮影画像により直接見ることができる。また、移動機と固定機が通話可能状態にあるので、移動機から固定機を介して、固定機設置場所に入り込んだ人等に問い掛けることもできる。なお、移動機に表示された画像は、移動機において記録保存することができる。
【０１０６】
また、感応センサに変えて、押しボタンスイッチを用いることにより、固定機と移動機の間でＴＶ電話による対話が可能になる。例えば、携帯電話機の操作ができ難い病人や被看護者或いは子供等の側に、押しボタンスイッチ（図示しない）を置くと共に、携帯電話を用いた見張り装置７０に固定機をセットしカメラレンズ１８が病人や被看護者或いは子供等に向くようにする。
【０１０７】
病人や被看護者或いは子供等が連絡を取りたい場合、押しボタンスイッチを押せば、押しボタンスイッチから携帯電話を用いた見張り装置７０に作動信号が入力し、装置本体３２が起動する。装置本体３２が起動することにより、各アーム７４，７５が作動して固定機の２つの操作ボタン１７を順次押圧操作し、自動的に移動機を呼び出すことができる。その後、ＴＶ電話機能により、移動機と固定機の間で相互に画像を見ながら音声交信することができる。なお、携帯電話を用いた見張り装置７０の設置場所にカメラ撮影のための照明用ランプ（図示しない）を設置し、固定機のカメラ撮影時に装置本体３２からの動作信号で点灯するようにしても良い。
【０１０８】
このように、携帯電話を用いた見張り装置７０によれば、画像により確認したい場所に携帯電話を用いた見張り装置７０を配置した後、外出先等に、固定機の電話番号リストの１番目に電話番号を登録しておいた移動機を携帯することにより、外出先から必要に応じ、画像により確認したい場所の現在の様子を固定機によるカメラ撮影画像で確認することができる。また、互いのカメラ撮影画像を見ながら相互に会話することもできる。更に、移動機側で撮影モードにすることにより、固定機から送られたカメラ撮影画像をスマートメディア等の記憶手段に保存することもできる。
【０１０９】
従って、携帯電話を用いた見張り装置７０を、例えば、無人の交番や事務所等に備えることにより、無人の交番や事務所等に来訪者があった場合でも、随時外出先から連絡を取ることができるので、来訪が無駄にならないばかりでなく緊急時でも確実に連絡することができ商談等の機会を逃すこともない。
【図面の簡単な説明】
【０１１０】
【図１】この発明の一実施例である第１の実施形態に係る携帯電話を用いた見張り装置の斜視図である。
【図２】図１のボタン操作部からカバーを外した状態を示す装置本体の部分斜視図である。
【図３】図１の装置本体のセンサ接続部が設けられた側端面を示す部分斜視図である。
【図４】図１の装置本体の内部構造を概略的に示す説明図である。
【図５】図４のソレノイド駆動回路の回路構成例を示す回路図である。
【図６】この発明の一実施例である第２の実施形態に係る携帯電話を用いた見張り装置の斜視図である。
【図７】図６の装置本体に設置されたホルダ取付部材の斜視図である。
【図８】図６の装置本体に設置されたボタン操作部の斜視図である。
【図９】図６の装置本体の内部構造を示す一部破断した説明図である。
【図１０】図６の携帯電話を用いた見張り装置の回路構成を概略的に示す説明図である。
【図１１】図１０の回路部の具体例を示す回路図である。
【図１２】図８のアーム、アーム支持部及びアーム駆動軸の他の例を示す斜視図である。
【図１３】この発明の一実施例である第３の実施形態に係る携帯電話を用いた見張り装置の斜視図である。
【図１４】図１３のボタン操作モジュールの斜視図である。
【図１５】図１３のボタン操作モジュールの傾斜状態を示す一部破断した側面図である。
【符号の説明】
【０１１１】
１０，３０，７０  携帯電話を用いた見張り装置
１１  電話機載置台
１１ａ  周壁
１２  ボタン操作部
１３  センサ接続部
１４，３２  装置本体
１５  カメラ付き携帯電話機
１５ａ  表示部
１５ｂ  操作部
１５ｃ  差込口
１６  感応センサ
１６ａ  赤外線センサ
１６ｂ  バイメタル温度センサ
１７  操作ボタン
１７ａ，１７ｂ，１７ｃ  特定操作ボタン
１８  カメラレンズ
１９  弾性部材
２０ａ，２０ｂ，２０ｃ  操作板
２１ａ，２１ｂ，２１ｃ  ソレノイド
２２  カバー
２３  ランプ
２４  ランプ用コンセント
２５  充電器用コンセント
２６  スイッチ
２７  電源コード
２７ａ  電源プラグ
２８  ソレノイド駆動回路
２９  パワートランス
３１  ホルダ
３３ａ  スライドスイッチ
３３ｂ  オンオフスイッチ
３４  台部
３５  カバー部
３５ａ  蓋
３６  ホルダ収納口
３７，６２ａ  スリット
３８  ホルダ取付部材
３８ａ  係止段部
３９  足部
４０  ガイド部材
４１，４４，５０，８１，８３，９２  コイルバネ
４２  係止バー
４２ａ  係止部
４３  バー受け部
４５，６２，７４，７５  アーム
４６，６６  アーム駆動軸
４７，８８  モータ
４８，６３  アーム支持部
４９  押圧ネジ
５１  モータ受け部
５２，６５  軸受け部
５３，５４  ギヤ
５５  突起
５６，８７  フォトインタラプタ
５７，８６  金属片
５８  携帯電話機充電器
５９  パワーパック
６０  バックアップ用電池
６１  回路部
６４，８２  アーム軸
６７  位置決めネジ
６８  点検調整口
７１  ボタン操作モジュール
７２  ホルダステージ
７３  モジュール本体
７３ａ，７３ｂ  側板
７４ａ，７５ａ  突起
７４ｂ，７５ｂ，９１ａ  穴
７６ａ，７６ｂ  カム
７７  シャフト
７８  駆動ユニット
７９，７９  Ｌ字状軸受け
８０  本体軸
８４  押さえ板
８５  伝達ギア
８９  駆動ギア
９０  ストッパ
９１  ステージ連動部材
【図１】
2005039773.tif 000003
【図２】
2005039773.tif 000004
【図３】
2005039773.tif 000005
【図４】
2005039773.tif 000006
【図５】
2005039773.tif 000007
【図６】
2005039773.tif 000008
【図７】
2005039773.tif 000009
【図８】
2005039773.tif 000010
【図９】
2005039773.tif 000011
【図１０】
2005039773.tif 000012
【図１１】
2005039773.tif 000013
【図１２】
2005039773.tif 000014
【図１３】
2005039773.tif 000015
【図１４】
2005039773.tif 000016
【図１５】
2005039773.tif 000017